(57)【特許請求の範囲】
【請求項１】
式（Ｉ）で表されるアゾ化合物又はその塩。
0005572987.tif 000047
〔式（Ｉ）中、Ａは、Ｎ−置換スルファモイル基と１種の他の置換基を有するフェニル基であって、Ｎ−置換スルファモイル基が−ＳＯ２ＮＨＲ３基であり、１種の他の置換基がメチル基であるフェニル基を表す。
Ｒ１は、Ｃ１−１２脂肪族炭化水素基を表す。
Ｒ２は、メチル基を表す。
Ｒ３は、Ｃ１−１２脂肪族炭化水素基（Ｃ１−１２脂肪族炭化水素基に含まれる水素原子は、アルコキシル基又はヒドロキシル基で置換されていてもよく、Ｃ１−１２脂肪族炭化水素基に含まれるメチレン基は、−Ｏ−で置換されていてもよい。）を表す。〕
【請求項２】
Ｒ３が、２−エチルヘキシル基、フルフリル基又は２−ヒドロキシプロピル基である請求項１記載のアゾ化合物又はその塩。
【発明の詳細な説明】
【技術分野】
【０００１】
本発明は、染料として有用なアゾ化合物又はその塩に関するものである。
【背景技術】
【０００２】
染料は、液晶表示パネル、エレクトロルミネッセンス、プラズマディスプレイパネルなどのディスプレイ装置に使用される、カラーフィルタの着色剤として用いられている。染料としては、たとえば特許文献１に、式（ｄ−１）で表されるアゾ化合物が記載されている。
0005572987.tif 000002
【先行技術文献】
【特許文献】
【０００３】
【特許文献１】特開２００６−１２４６３４号
【発明の概要】
【発明が解決しようとする課題】
【０００４】
しかしながら、従来の化合物は、溶媒に対する溶解性が十分ではない場合があった。
【課題を解決するための手段】
【０００５】
本発明者らが、アゾ化合物又はその塩の溶媒に対する溶解性を更に改良すべく鋭意検討した結果、本発明に至った。すなわち、本発明は、以下を提供する。
１．式（Ｉ）で表されるアゾ化合物又はその塩。
【０００６】
0005572987.tif 000003
【０００７】
〔式（Ｉ）中、Ａは、ハロゲン原子、メチル基、メトキシ基、ニトロ基、スルホン基、スルファモイル基及びＮ−置換スルファモイル基よりなる群から選ばれる少なくとも１種の基を２個以上有するフェニル基、或いは、ハロゲン原子、メチル基、メトキシ基、ニトロ基、スルホン基、スルファモイル基及びＮ−置換スルファモイル基よりなる群から選ばれる少なくとも１種の基を１個以上有するナフチル基を表す。
Ｒ１は、水素原子、Ｃ１−１２脂肪族炭化水素基、Ｃ７−２０アラルキル基、又はＣ６−２０アリール基を表す。
Ｒ２は、Ｃ１−５脂肪族炭化水素基、又はトリフルオロメチル基を表す。〕
【０００８】
２．式（Ｉ）中、Ａが、少なくとも１個のＮ−置換スルファモイル基を有する前１項記載のアゾ化合物又はその塩。
３．前記Ｎ−置換スルファモイル基が、−ＳＯ２ＮＨＲ３基であり、Ｒ３は、Ｃ１−１２脂肪族炭化水素基（Ｃ１−１２脂肪族炭化水素基に含まれる水素原子は、アルコキシル基又はヒドロキシル基で置換されていてもよく、Ｃ１−１２脂肪族炭化水素基に含まれるメチレン基は、−Ｏ−で置換されていてもよい。）、Ｃ６−２０アリール基、Ｃ７−２０アラルキル基、又はＣ２−１０アシル基を表す前１又は２項記載のアゾ化合物又はその塩。
【０００９】
なお式（Ｉ）で表されるアゾ化合物又はその塩を、以下では「アゾ化合物（Ｉ）」と略称することがある。他の化学式で表される化合物又はその塩も、同様に略称することがある。
【発明の効果】
【００１０】
本発明のアゾ化合物又はその塩は、溶媒に対する高い溶解性を示す。
【発明を実施するための形態】
【００１１】
本発明のアゾ化合物又はその塩は、式（Ｉ）で表されるように、Ａで表される芳香環部が２個以上の置換基を有するフェニル基、或いは、１個以上の置換基を有するナフチル基であることを特徴とする。
式（Ｉ）で表されるピリドン環の部分には、エノール型のほか、ケト型も含まれる。このような構造により、本発明のアゾ化合物又はその塩は、溶媒に対する高い溶解性を示す。また本発明のアゾ化合物又はその塩は、その好ましい態様において、耐光性にも優れており、透過光を利用した色表示にも極めて適している。
【００１２】
本発明は、式（Ｉ）で表されるアゾ化合物又はその塩に関する。
【００１３】
0005572987.tif 000004
【００１４】
〔式（Ｉ）中、Ａは、ハロゲン原子、メチル基、メトキシ基、ニトロ基、スルホン基、スルファモイル基及びＮ−置換スルファモイル基よりなる群から選ばれる少なくとも１種の基を２個以上有するフェニル基、或いは、ハロゲン原子、メチル基、メトキシ基、ニトロ基、スルホン基、スルファモイル基及びＮ−置換スルファモイル基よりなる群から選ばれる少なくとも１種の基を１個以上有するナフチル基を表す。
Ｒ１は、水素原子、Ｃ１−１２脂肪族炭化水素基、Ｃ７−２０アラルキル基、又はＣ６−２０アリール基を表す。
Ｒ２は、Ｃ１−５脂肪族炭化水素基、又はトリフルオロメチル基を表す。
式（Ｉ）で表される化合物又はその塩は、２つが任意の位置で結合して二量体を形成していてもよい。〕
【００１５】
本発明のアゾ化合物又はその塩は、スルホン基、スルファニル基、Ｎ−置換スルファモイル基を有することにより、水溶性及び油溶性を兼ね備えることができる。油溶性を向上させるために、式（Ｉ）中、Ａが、１つ以上のＮ−置換スルファモイル基を有することが好ましい。
Ａのうち、スルホン基を有するフェニル基の具体例として、スルホン基のみを有するもの、例えば、１つのスルホン基を有するフェニル基（２−、３−又は４−スルホフェニル基）、２つのスルホン基を有するフェニル基（２，４−ジスルホフェニル基など）；スルホン基と１種の他の置換基を有するもの、例えば、メチル−スルホフェニル基（４−メチル−２−スルホフェニル基、４−メチル−３−スルホフェニル基、２−メチル−３−スルホフェニル基、２−メチル−５−スルホフェニル基、２−メチル−４−スルホフェニル基、３−メチル−４−スルホフェニル基など）、ジメチル−スルホフェニル基（４，６−ジメチル−２−スルホフェニル基、２，４−ジメチル−６−スルホフェニル基など）、メトキシ−スルホフェニル基（４−メトキシ−２−スルホフェニル基、４−メトキシ−３−スルホフェニル基、２−メトキシ−３−スルホフェニル基、２−メトキシ−４−スルホフェニル基など）、ヒドロキシ−スルホフェニル基（２−ヒドロキシ−３−スルホフェニル基、２−ヒドロキシ−４−スルホフェニル基、２−ヒドロキシ−５−スルホフェニル基など）；及びスルホン基と２種以上の他の置換基を有するもの、例えば、ヒドロキシ−ニトロ−スルホフェニル基（２−ヒドロキシ−３−ニトロ−５−スルホフェニル基など）などが挙げられる。これらの中でも水溶性の観点から、スルホン基とメチル基を有するフェニル基が好ましく、２−メチル−４−スルホフェニル基及び３−メチル−４−スルホフェニル基がより好ましい。
スルホン基を有するナフチル基Ａの具体例として、１つのスルホン基を有するナフチル基（５−、６−、７−又は８−スルホ−２−ナフチル基、４−、５−、６−又は７−スルホ−１−ナフチル基など）、２つのスルホフェニル基を有するナフチル基（６，８−、４，８−、５，７−又は３，６−ジスルホ−２−ナフチル基、３，６−又は４，６−ジスルホ−１−ナフチル基など）、及び３つのスルホン基を有するナフチル基（３，６，８−又は４，６，８−トリスルホ−２−ナフチル基など）などが挙げられる。スルホン基と１種の他の置換基を有するもの、例えば、メチル−スルホナフチル基（４−メチル−２−スルホナフチル基、４−メチル−３−スルホナフチル基、２−メチル−３−スルホナフチル基、２−メチル−５−スルホナフチル基など）、ジメチル−スルホナフチル基（４，６−ジメチル−２−スルホナフチル基、２，４−ジメチル−６−スルホナフチル基など）、メトキシ−スルホナフチル基（４−メトキシ−２−スルホナフチル基、４−メトキシ−３−スルホナフチル基、２−メトキシ−３−スルホナフチル基、２−メトキシ−４−スルホナフチル基など）、ヒドロキシ−スルホナフチル基（２−ヒドロキシ−３−スルホナフチル基、２−ヒドロキシ−４−スルホナフチル基、２−ヒドロキシ−５−スルホナフチル基など）；及びスルホン基と２種以上の他の置換基を有するもの、例えば、ヒドロキシ−ニトロ−スルホナフチル基（２−ヒドロキシ−３−ニトロ−５−スルホフェニル基など）などが挙げられる。これらの中でも、２つのスルホフェニル基を有するナフチル基（ジスルホナフチル基とも言う）が好ましく、ジスルホ−２−ナフチル基がより好ましく、６，８−ジスルホ−２−ナフチル基がさらに好ましい。
スルファモイル基又はＮ−置換スルファモイル基を有するフェニル又はナフチル基の例としては、スルホン基を有するフェニル又はナフチル基の例で、スルホン基をスルファモイル基又はＮ−置換スルファモイル基で置換したものが挙げられる。Ｎ−置換スルファモイル基としては、例えば、Ｎ−一置換スルファモイル基が挙げられ、式−ＳＯ２ＮＨＲ３で表すことができる。Ｒ３は、Ｃ１−１２脂肪族炭化水素基（このＣ１−１２脂肪族炭化水素基に含まれる水素原子は、アルコキシル基又はヒドロキシル基で置換されていてもよく、Ｃ１−１２脂肪族炭化水素基に含まれるメチレン基は、−Ｏ−で置換されていてもよい。）、Ｃ６−２０アリール基、Ｃ７−２０アラルキル基又はＣ２−１０アシル基を表す。
Ｒ３の脂肪族炭化水素基は、直鎖状、分枝鎖状又は環状のいずれでもよい。脂肪族炭化水素基の炭素数には置換基の炭素数は含まれず、その数は、通常、１〜１２、好ましくは６〜１１である。Ｒ３の脂肪族炭化水素基は、例えば、メチル基、エチル基、ｎ−プロピル基、イソプロピル基、ｎ−ブチル基、イソブチル基、ｓｅｃ−ブチル基、ｔｅｒｔ−ブチル基、メチルブチル基（１，１，３，３−テトラメチルブチル基など）、メチルヘキシル基（１−メチルヘキシル基、１，５−ジメチルヘキシル基など）、エチルヘキシル基（２−エチルヘキシル基など）、シクロペンチル基、シクロヘキシル基、メチルシクロヘキシル基（２−メチルシクロヘキシル基など）、シクロヘキシルアルキル基などで置換されていてもよい。脂肪族炭化水素基としては、アルコキシプロピル基（３−（２−エチルヘキシルオキシ）プロピル基など）、テトラヒドロフラニルアルキル基（２−テトラヒドロフラニルメチル基など）、グリシジル基、ヒドロキシプロピル基（２−ヒドロキシプロピル基、３−ヒドロキシプロピル基など）などが例示できる。
Ｒ３のアリール基は、無置換であってもよく、脂肪族炭化水素基又はヒドロキシル基などの置換基を有していてもよい。前記アリール基の炭素数は、置換基の炭素数を含めて数えられ、通常、６〜２０、好ましくは６〜１０である。これらアリール基としては、例えばフェニル基、ヒドロキシフェニル基（４−ヒドロキシフェニル基など）、トリフルオロメチルフェニル基（４−トリフルオロメチルフェニル基など）などの置換又は無置換フェニル基などが挙げられる。
Ｒ３のアラルキル基のアルキル部分は、直鎖状、分枝鎖状又は環状のいずれでもよい。アラルキル基の炭素数は、通常、７〜２０、好ましくは７〜１０である。このアラルキルとしては、ベンジル基、フェニルプロピル基（１−メチル−３−フェニルプロピル基など）、フェニルブチル基（３−アミノ−１−フェニルブチル基など）などのフェニルアルキル基が代表的である。
Ｒ３のアシル基は、無置換であってもよく、脂肪族炭化水素基、アルコキシル基などの置換基が結合していてもよい。アシル基の炭素数は、置換基の炭素数を含めて数えられ、その数は、通常、２〜１０、好ましくは６〜１０である。前記アシル基は、例えば、アセチル基、ベンゾイル基、メトキシベンゾイル基（ｐ−メトキシベンゾイル基など）などである。
前記Ｒ３は、油溶性をより一層高める観点から、例えば、メチルブチル基（１，１，３，３−テトラメチルブチル基など）、メチルへキシル基（１，５−ジメチルへキシル基など）、エチルへキシル基（２−エチルヘキシル基など）、メチルシクロへキシル基（２−メチルシクロヘキシル基など）、フェニルプロピル基（１−メチル−３−フェニルプロピル基など）、フェニルブチル基（３−アミノ−１−フェニルブチル基など）、アルコキシプロピル基（３−（２−エチルヘキシルオキシ）プロピル基など）などの枝分かれ炭素を有する脂肪族炭化水素基、又はアラルキル基が好ましい。
Ｒ１は水素原子、Ｃ１−１２脂肪族炭化水素基、Ｃ７−２０アラルキル基、又はＣ６−２０アリール基を表す。
Ｒ１の脂肪族炭化水素基は、直鎖状、分枝鎖状又は環状のいずれでもよい。脂肪族炭化水素基の炭素数には置換基の炭素数を全て含み、その数は、通常、１〜１２、好ましくは２〜１１である。Ｒ１の脂肪族炭化水素基には、例えば、ｎ−オクチル基、メチルヘキシル基（１，５−ジメチルヘキシル基など）、エチルヘキシル基（２−エチルヘキシル基など）、シクロオクチル基、メチルシクロヘキシル基（２、２−ジメチルシクロヘキシル基など）、シクロヘキシルアルキル基などが含まれる。Ｒ１の脂肪族炭化水素基は、Ｃ1-8アルコキシル基などの置換基で置換されていてもよい。この置換脂肪族炭化水素基としては、アルコキシプロピル基（３−（２’−エチルヘキシルオキシ）プロピル基など）などが例示できる。Ｒ１の脂肪族炭化水素基は、末端がカルボキシル基で置換されていてもよい。この置換脂肪族炭化水素基としては、８−（カルボキシ）オクチル基などが例示できる。
Ｒ１のアラルキル基のアルキル部分は、直鎖状、分枝鎖状又は環状のいずれでもよい。アラルキル基の炭素数は、通常、７〜２０、好ましくは７〜１０である。このアラルキルとしては、例えば、ベンジル基、フェニルブチル基（３−アミノ−１−フェニルブチル基など）などのフェニルアルキル基などが挙げられる。
Ｒ１のアリール基は、無置換であってもよく、脂肪族炭化水素基又はカルボキシル基などの置換基を有していてもよい。前記アリール基の炭素数は、置換基の炭素数を含めて数えられ、通常、６〜２０、好ましくは６〜１０である。これらアリール基としては、例えば、フェニル基、カルボキシフェニル基（２−カルボキシフェニル基など）、トリフルオロメチルフェニル基（４−トリフルオロメチルフェニル基など）などの無置換又は置換フェニル基などが挙げられる。
Ｒ２は、Ｃ１−５脂肪族炭化水素基、又はトリフルオロメチル基を表す。分光濃度と色相の観点からは、メチル基が好ましい。
なお本明細書中、Ｃａ−ｂとは、炭素数がａ以上、ｂ以下であることを意味する。
【００１６】
アゾ化合物（Ｉ）を２種以上併用すると、その１種を単独で用いる場合よりも、油溶性が大きい。そのため油溶性の観点から、液晶表示装置の色素として、アゾ化合物（Ｉ）の２種以上の組合せを用いることも好ましい態様である。油溶性が向上する組合せの例として、２つのＮ−置換スルファモイル基を有するアゾ化合物（ジスルファモイル）と、１つのスルホン基及び１つのＮ−置換スルファモイル基を有するアゾ化合物（モノスルファモイル）との組合せが挙げられる。
また、モノスルファモイルはジスルファモイルと比較して、溶媒に対する溶解性の観点から特に好ましい。
【００１７】
油溶性を高める観点からは、Ｒ１に上述の例から比較的嵩高い基を選択することが好ましい。嵩高い基を選択することで、アゾ色素のスタッキング相互作用を低減でき、油溶性を高めることができる。また嵩高い基を選択することで、アゾ基を保護でき、耐光性を高めることができる。前記の嵩高いＲ１としては、２−エチルヘキシル基などの枝分かれ脂肪族炭化水素基（特に３級脂肪族炭化水素基）、トリフルオロメチル基などの２個以上（特に３個以上）のハロゲン原子が結合した脂肪族炭化水素基などが例示できる。
【００１８】
アゾ化合物（Ｉ）又はその塩は、２つが任意の位置で結合して二量体を形成していてもよい。二量体としては、式（Ｉ−Ａ）で表される化合物及び式（Ｉ−Ｂ）で表される化合物が挙げられる。
【００１９】
0005572987.tif 000005
（式（Ｉ−Ａ）及び式（Ｉ−Ｂ）中、Ｒ１、Ｒ２及びＡは、上記と同じ意味を表す。
Ｒ’１はＲ１と、Ｒ’２はＲ２と、Ａ’はＡと、それぞれ同じ意味を表す。
Ｒ’’１及びＺは、それぞれ独立に、Ｃ１−１２アルキレン基を表す。
Ａ１及びＡ２は、それぞれ独立に、置換基を有していてもよい２価のＣ６−１４芳香族炭化水素基を表す。）
【００２０】
２価のＣ６−１４芳香族炭化水素基としては、フェニレン基及びナフチレン基等が挙げられ、フェニレン基が好ましい。
２価のＣ６−１４芳香族炭化水素基の置換基としては、ハロゲン原子、Ｃ1-８アルキル基、Ｃ1-８アルコキシ基、ニトロ基、スルホ基、スルファモイル基及びＮ−置換スルファモイル基などが挙げられる。
ハロゲン原子としては、フッ素原子、塩素原子、臭素原子及びヨウ素原子等が挙げられ、フッ素原子、塩素原子又は臭素原子が好ましい。
Ｃ1-８アルキル基としては、メチル基、エチル基、プロピル基、イソプロピル基、ブチル基、イソブチル基、ｓｅｃ−ブチル基、ｔｅｒｔ−ブチル基、ペンチル基及びヘキシル基等が挙げられ、炭素数１〜４のアルキル基が好ましく、炭素数１〜２のアルキル基がより好ましく、メチル基が特に好ましい。
Ｃ1-８アルコキシ基としては、メトキシ基、エトキシ基、プロポキシ基、イソプロポキシ基、ブトキシ基、イソブトキシ基、ｓｅｃ−ブトキシ基、ｔｅｒｔ−ブトキシ基、ペンチルオキシ基及びヘキシルオキシ基等が挙げられ、炭素数１〜４のアルコキシ基が好ましく、炭素数１〜２のアルコキシ基がより好ましく、メトキシ基が特に好ましい。
Ｎ−置換スルファモイル基として、−ＳＯ2ＮＨＲ３基が好ましい。Ｒ３は、上記と同じ意味を表す。
【００２１】
Ｒ’’１及びＺのＣ１−１２アルキレン基には、例えば、メチレン基、エチレン基、ｎ−プロピレン基、イソプロピレン基、ｎ−ブチレン基、イソブチレン基、ｓｅｃ−ブチレン基、ｔｅｒｔ−ブチレン基、メチルブチレン基（１，１，３，３−テトラメチルブチレン基など）、メチルヘキシレン基（１−メチルヘキシレン基、１，５−ジメチルヘキシレン基など）及びエチルヘキシレン基（２−エチルヘキシレン基など）などが例示できる。ｎ−ブチレン基が特に好ましい。
【００２２】
アゾ化合物（Ｉ）のうちで、Ａがスルホン基を有する場合の好ましい例としては、式（Ｉ−１）〜式（Ｉ−５７）、式（Ｉ−２０８）〜式（Ｉ−２１３）が挙げられる。
【００２３】
0005572987.tif 000006
【００２４】
0005572987.tif 000007
【００２５】
0005572987.tif 000008
【００２６】
0005572987.tif 000009
【００２７】
式（Ｉ）のうちで、Ｎ−置換スルファモイル基を有する好ましい例としては、式（Ｉ−５８）〜式（Ｉ−１７８）、式（Ｉ−１８０）〜式（Ｉ−２０７）が挙げられる。
【００２８】
0005572987.tif 000010
【００２９】
0005572987.tif 000011
【００３０】
0005572987.tif 000012
【００３１】
0005572987.tif 000013
【００３２】
0005572987.tif 000014
【００３３】
0005572987.tif 000015
【００３４】
0005572987.tif 000016
【００３５】
0005572987.tif 000017
【００３６】
0005572987.tif 000018
【００３７】
0005572987.tif 000019
【００３８】
0005572987.tif 000020
【００３９】
0005572987.tif 000021
【００４０】
0005572987.tif 000022
【００４１】
0005572987.tif 000023
【００４２】
0005572987.tif 000024
【００４３】
0005572987.tif 000025
【００４４】
0005572987.tif 000026
【００４５】
0005572987.tif 000027
【００４６】
0005572987.tif 000028
【００４７】
本発明は、アゾ化合物（Ｉ）に限らず、その塩も包含する。塩としては、スルホン酸塩又はカルボン酸塩などが挙げられる。またこれら塩を形成するカチオンは特に限定されないが、溶媒に対する溶解性を考慮すると、リチウム塩、ナトリウム塩、カリウム塩のようなアルカリ金属塩；アンモニウム塩；及びエタノールアミン塩、アルキルアミン塩のような有機アミン塩などが好ましい。特にアルカリ金属塩（好ましくはナトリウム塩）は、偏光膜基材に含有させる場合に有用である。また有機アミン塩は、硬化性樹脂組成物に含有させる場合に有用であり、さらには非金属塩であるため、絶縁性が重要視される分野でも有用である。
【００４８】
本発明のアゾ化合物は、染料分野でよく知られているように、ジアゾニウム塩とピリドン類とをカップリングすることにより製造できる。例えば、式（ａ）で表されるアミン類（ジアゾ成分）を、亜硝酸、亜硝酸塩又は亜硝酸エステルによりジアゾ化することによって得られる式（ｂ）で表される化合物を、前記ジアゾニウム塩として使用できる。
【００４９】
0005572987.tif 000029
【００５０】
（式（ａ）及び（ｂ）中、Ａは式（Ｉ）におけるものと同じ意味を表す。
Ｘ−は、無機又は有機アニオンを表す。）
【００５１】
前記の無機又は有機アニオンとしては、フッ化物イオン、塩化物イオン、臭化物イオン、ヨウ化物イオン、過塩素酸イオン、次亜塩素酸イオン、ＣＨ３−ＣＯＯ−、Ｐｈ−ＣＯＯ−などが挙げられ、好ましくは塩化物イオン、臭化物イオン、ＣＨ３−ＣＯＯ−が挙げられる。
【００５２】
そして式（ｂ）で表されるジアゾニウム塩と、式（ｃ）で表されるピリドン類（カップリング成分）とを、通常、水性溶媒中２０〜６０℃で反応させることにより、アゾ化合物（Ｉ）を製造することができる。
【００５３】
0005572987.tif 000030
【００５４】
（式（ｃ）中、Ｒ１及びＲ２は、式（Ｉ）におけるものと同じ意味を表す）
【００５５】
スルファモイル基又はＮ−置換スルファモイル基を有する目的化合物（Ｉ）は、スルファモイル基又はＮ−置換スルファモイル基を有するアミン類（ａ）を用いることによっても製造してもよく、スルホン基を有するアミン類（ａ）を用いてカップリング反応を行った後に、スルホン基をスルホンアミド化して製造してもよい。例えば、式（Ｉ）においてスルホン基を有する化合物（以下、「アゾスルホン酸（Ｉ）」という）を合成しておき、ハロゲン化チオニル化合物によってスルホン基（−ＳＯ３Ｈ）をスルホンハライド化（−ＳＯ２Ｘ；Ｘはハロゲン原子）してスルホンハライド化合物を得て、次いでアミン（以下「反応性アミン」という場合がある）と反応させることによって、スルホン基をスルホンアミド化して、スルホンアミド化合物（アゾ化合物（Ｉ））を得ることができる。
【００５６】
アゾスルホン酸（Ｉ）の好ましい例には、式（Ｉ−１）〜（Ｉ−３）が挙げられ、好ましくは式（Ｉ−１）及び（Ｉ−２）が挙げられる。ハロゲン化チオニル化合物としては、弗化チオニル、塩化チオニル、臭化チオニル、沃化チオニルなどが挙げられ、好ましくは塩化チオニル、臭化チオニルなどが挙げられ、特に好ましくは塩化チオニルがが挙げられる。ハロゲン化チオニル化合物の使用量は、アゾスルホン酸（Ｉ）１モルに対して、例えば、１〜１０モル程度である。なお反応系中に水が持ち込まれる場合は、ハロゲン化チオニル化合物を過剰に使用することが好ましい。
【００５７】
スルホンハライド化は、通常、溶媒中で行われる。溶媒としては、例えば、１，４−ジオキサンなどのエーテル類（特に好ましくは環状エーテル類）；クロロホルム、塩化メチレン、四塩化炭素、１，２−ジクロロエタン、ジクロロエチレン、トリクロロエチレン、パークロロエチレン、ジクロロプロパン、塩化アミル、１，２−ジブロモエタンなどのハロゲン化炭化水素類などが使用できる。溶媒の使用量は、アゾスルホン酸（Ｉ）１質量部に対して、例えば、３質量部以上（好ましくは５質量部以上）、１０質量部以下（好ましくは８質量部以下）程度である。
【００５８】
またスルホンハライド化では、Ｎ，Ｎ−ジアルキルホルムアミド（例えば、Ｎ，Ｎ−ジメチルホルムアミド、Ｎ，Ｎ−ジエチルホルムアミドなど）を併用することが好ましい。Ｎ，Ｎ−ジアルキルホルムアミドを用いる場合、その使用量は、ハロゲン化チオニル化合物１モルに対して、例えば、０．０５〜１モル程度である。アゾスルホン酸（Ｉ）とＮ，Ｎ−ジアルキルホルムアミドとを溶媒中で予め混合した後、ハロゲン化チオニル化合物を添加すると、発熱を抑制することができる。
【００５９】
スルホンハライド化における反応温度は、例えば、０℃以上、好ましくは３０℃以上、７０℃以下、好ましくは６０℃以下である。反応時間は、例えば、０．５時間以上、好ましくは３時間以上、８時間以下、好ましくは５時間以下程度である。
【００６０】
上記のようにして調製されたスルホンハライド化合物は、単離してから反応性アミンと反応させてもよく、単離することなく反応混合物のままで反応性アミンと反応させてもよい。なお単離する場合には、例えば、反応混合物と水とを混合し、析出した結晶を濾取すればよい。取得したスルホンハライド化合物の結晶は、反応性アミンとの反応前に、必要に応じて水洗及び乾燥してもよい。
【００６１】
前記反応性アミンとしては、例えば、１級アミンが挙げられ、該１級アミンは、式Ｈ２Ｎ−Ｒ３で表される（Ｒ３は前記と同じ）。
Ｈ２Ｎ−Ｒ３の具体例には、ｎ−プロピルアミン、ｎ−ブチルアミン、ｎ−ヘキシルアミン、ジメチルヘキシルアミン（１，５−ジメチルヘキシルアミンなど）、テトラメチルブチルアミン（１，１，３，３−テトラメチルブチルアミンなど）、エチルヘキシルアミン（２−エチルヘキシルアミンなど）、アミノフェニルブタン（３−アミノ−１−フェニルブタンなど）、イソプロポキシプロピルアミンなどが含まれる。反応性アミンの使用量は、スルホンハライド化合物１モルに対して、通常、２モル以上、１０モル以下、好ましくは７モル以下程度である。
【００６２】
スルホンハライド化合物と反応性アミンの添加順は特に限定されないが、スルホンハライド化合物に反応性アミンを添加（滴下）することが多い。またスルホンハライド化合物と反応性アミンとの反応は、通常、溶媒中で行う。溶媒としては、スルホンハライド化合物を調製するときと同様の溶媒が使用できる。
【００６３】
またスルホンハライド化合物と反応性アミンとの反応は、好ましくは、塩基性触媒の存在下で行われる。塩基性触媒としては、例えば３級アミン（トリエチルアミン、トリエタノールアミンなどの脂肪族３級アミン；ピリジン、メチルピリジンなどの芳香族３級アミン）、及び２級アミン（ジエチルアミン、ピペリジンなどの脂肪族２級アミン）などが挙げられる。これらの中でも、３級アミン、特にトリエチルアミンなどの脂肪族３級アミンが好ましい。塩基性触媒の使用量は、反応性アミン（スルホンハライドと反応させる前記アミン）に対して、通常、１．１モル以上、６モル以下、好ましくは１．１モル以上、５モル以下程度である。
【００６４】
スルホンハライド化合物に反応性アミンと塩基性触媒とを添加する場合、塩基性触媒の添加タイミングは特に限定されず、反応性アミンの添加前及び添加後のどちらであってもよく、反応性アミンと同じタイミングで添加してもよい。また反応性アミンと予め混合してから添加してもよく、反応性アミンとは別に添加してもよい。
【００６５】
スルホンハライド化合物と反応性アミンとの反応温度は、例えば、０℃以上、５０℃以下、好ましくは０℃以上、３０℃以下である。また反応時間は、通常、１〜５時間程度である。
【００６６】
反応混合物から目的化合物であるスルホンアミド化合物（アゾ化合物（Ｉ））を取得する方法は特に限定されず、公知の種々の手法が採用できる。例えば、反応混合物を酸（酢酸）及び水と共に混合し、析出した結晶を濾取することが好ましい。前記酸及び水は、予め酸の水溶液を調製してから用いることが好ましく、反応混合物をこの酸の水溶液に添加することが多い。反応混合物の添加温度は、通常、１０℃以上、好ましくは２０℃以上、５０℃以下、好ましくは３０℃以下である。また添加後は、同温度で０．５〜２時間程度攪拌することが好ましい。濾取した結晶は、通常、水などで洗浄され、次いで乾燥される。また必要に応じて、再結晶などの公知の手法によってさらに精製してもよい。
【００６７】
本発明のアゾ化合物又はその塩は、溶媒に対する高い溶解性を示す。溶媒としては、水や有機溶媒が挙げられる。前記の有機溶媒としては、種々のものがあるが、例えば、カルボニル基を有する溶媒が好ましく用いられる。前記のカルボニル基を有する溶媒としては、ピルビン酸エチル、アセト酢酸エチル、ジアセトンアルコールなどが挙げられ、好ましくはジアセトンアルコールが挙げられる。
【００６８】
本発明のアゾ化合物又はその塩は、溶媒に対する高い溶解性を示すので、反射光又は透過光を利用して色表示する、繊維材料、液晶表示装置などに用いることができる。また、本発明のアゾ化合物又はその塩は、吸収スペクトルを測定したときに、４００〜４５０ｎｍの波長域に極大吸収をもつので、黄色染料として用いることが好ましい。
【実施例】
【００６９】
以下、実施例を挙げて本発明をより具体的に説明するが、本発明は以下の実施例によって制限を受けるものではない。なお実施例及び比較例中の「％」及び「部」は、特記されない限り、質量％及び質量部である。
【００７０】
実施例１
式（ａ−１）で表されるｏ−トルイジン−４−スルホン酸  四水和物２５．０部に水２５０部とＮ−メチルピロリドン５０部を加えた後、氷冷下、３０％水酸化ナトリウム水溶液でｐＨ７〜８に調節した。以下の操作は氷冷下で行った。亜硝酸ナトリウムを１８．４部加えて３０分攪拌した。３５％塩酸６４．８部を少量ずつ加えて褐色溶液とした後、２時間攪拌した。アミド硫酸１６．７部を水１７０部に溶解した水溶液を反応溶液に加えて攪拌し、ジアゾニウム塩を含む懸濁液を得た。
【００７１】
0005572987.tif 000031
【００７２】
式（ｃ−１）で表される１−ブチル−３−シアノ−４−メチル−６−ヒドロキシピリド−２−オン１９．３部に水１７３部とＮ−メチルピロリドン１９部を加えた後、氷冷下、３０％水酸化ナトリウム水溶液でｐＨ８〜９に調節した。
【００７３】
0005572987.tif 000032
【００７４】
以下の操作は氷冷下で行った。前記ピリドン水溶液を攪拌して無色溶液とした後、３０％水酸化ナトリウム水溶液でｐＨ８〜９に調節しながら、ジアゾニウム塩を含む懸濁液を２時間かけてポンプで滴下した。滴下終了後、さらに２時間攪拌することで暗色溶液を得た。精製塩１４０部を反応溶液に加えて、５時間攪拌した。濾過して得た黄色固体を減圧下６０℃で乾燥し、式（Ｉ−３６）で表されるアゾ化合物を３５．８部（収率９１％）得た。
【００７５】
0005572987.tif 000033
化合物（I−３６）の構造は質量分析によって決定した。質量分析装置はＪＭＳ−７００（日本電子株式会社製）を使用した。
質量分析：イオン化モード＝ＦＤ＋：ｍ／ｚ＝４６０
【００７６】
得られたアゾ化合物（Ｉ−３６）０．３５ｇをＮ，Ｎ−ジメチルホルムアミドに溶解して体積を２５０ｃｍ３とし、そのうちの２ｃｍ３を水で希釈して体積を１００ｃｍ３として（濃度：０．０２８ｇ／Ｌ）、分光光度計〔石英セル、セルの長さは１ｃｍ〕を用いて吸収スペクトルを測定した。得られた吸収スペクトルを図１に示す。この化合物は、λｍａｘ＝４４１ｎｍで吸光度３．１（任意単位）を示した。
【００７７】
実施例２
冷却管及び攪拌装置を備えたフラスコに、アゾ化合物（Ｉ−３６）を５．０部、クロロホルム５０部及びＮ，Ｎ−ジメチルホルムアミド２．１部を投入し、攪拌下２０℃以下を維持しながら、塩化チオニル３．５部を滴下して加えた。滴下終了後、５０℃に昇温し、同温度で５時間維持して反応させ、その後２０℃に冷却した。冷却後の反応溶液を、攪拌下２０℃以下に維持しながら、２−エチルヘキシルアミン８．０部及びトリエチルアミン１５部の混合液を滴下して加えた。その後、同温度で５時間攪拌して反応させた。次いで得られた反応混合物をロータリーエバポレーターで溶媒留去した後、メタノールを少量加えて激しく攪拌した。この混合物を、酢酸２９部及びイオン交換水３００部の混合液中に攪拌しながら加えて、結晶を析出させた。析出した結晶を濾別し、イオン交換水でよく洗浄し、６０℃で減圧乾燥して、式（Ｉ−１１１）で表されるアゾ化合物５．０部（収率７８％）を得た。
【００７８】
0005572987.tif 000034
化合物（I−１１１）の構造は質量分析によって決定した。質量分析装置はＪＭＳ−７００（日本電子株式会社製）を使用した。
質量分析：イオン化モード＝ＦＤ＋：ｍ／ｚ＝５７１
【００７９】
得られたアゾ化合物（Ｉ−１１１）０．３５ｇを乳酸エチルに溶解して体積を２５０ｃｍ３とし、そのうちの２ｃｍ３をイオン交換水で希釈して体積を１００ｃｍ３として（濃度：０．０２８ｇ／Ｌ）、分光光度計（石英セル、光路長；１ｃｍ）を用いて吸収スペクトルを測定した。得られた吸収スペクトルを図２に示す。この化合物は、λｍａｘ＝４３４ｎｍで吸光度２．５（任意単位）を示した。
【００８０】
実施例３
式（ａ−２）で表されるｍ−トルイジン−４−スルホン酸２５．０部に水２００部とＮ−メチルピロリドン５０部を加えた後、氷冷下、３０％水酸化ナトリウム水溶液でｐＨ７〜８に調節した。以下の操作は氷冷下で行った。亜硝酸ナトリウムを２７．６部加えて３０分攪拌した。３５％塩酸９７．３部を少量ずつ加えて褐色溶液とした後、２時間攪拌した。アミド硫酸２５．１部を水２５０部に溶解した水溶液を反応溶液に加えて攪拌し、ジアゾニウム塩を含む懸濁液を得た。
【００８１】
0005572987.tif 000035
【００８２】
式（ｃ−１）で表される１−ブチル−３−シアノ−４−メチル−６−ヒドロキシピリド−２−オン２８．９部に水２６０部とＮ−メチルピロリドン２８．９部を加えた後、氷冷下、３０％水酸化ナトリウム水溶液でｐＨ８〜９に調節した。
【００８３】
0005572987.tif 000036
【００８４】
以下の操作は氷冷下で行った。前記ピリドン水溶液を攪拌して無色溶液とした後、３０％水酸化ナトリウム水溶液でｐＨ８〜９に調節しながら、ジアゾニウム塩を含む懸濁液を２時間かけてポンプで滴下した。滴下終了後、さらに２時間攪拌することで暗色溶液を得た。精製塩１４０部を反応溶液に加えて、５時間攪拌した。濾過して得た黄色固体を減圧下６０℃で乾燥し、式（Ｉ−３５）で表されるアゾ化合物を４６．７部（収率７９％）得た。
【００８５】
0005572987.tif 000037
化合物（I−３５）の構造は質量分析によって決定した。質量分析装置はＪＭＳ−７００（日本電子株式会社製）を使用した。
質量分析：イオン化モード＝ＦＤ＋：ｍ／ｚ＝４６０
【００８６】
得られたアゾ化合物（Ｉ−３５）０．３５ｇをＮ，Ｎ−ジメチルホルムアミドに溶解して体積を２５０ｃｍ３とし、そのうちの２ｃｍ３を水で希釈して体積を１００ｃｍ３として（濃度：０．０２８ｇ／Ｌ）、分光光度計〔石英セル、セルの長さは１ｃｍ〕を用いて吸収スペクトルを測定した。得られた吸収スペクトルを図１に示す。この化合物は、λｍａｘ＝４３５ｎｍで吸光度３．２（任意単位）を示した。
【００８７】
実施例４
冷却管及び攪拌装置を備えたフラスコに、アゾ化合物（Ｉ−３５）を５．０部、クロロホルム５０部及びＮ，Ｎ−ジメチルホルムアミド２．１部を投入し、攪拌下２０℃以下を維持しながら、塩化チオニル３．５部を滴下して加えた。滴下終了後、５０℃に昇温し、同温度で５時間維持して反応させ、その後２０℃に冷却した。冷却後の反応溶液を、攪拌下２０℃以下に維持しながら、テトラヒドロフルフリルアミン８．０部及びトリエチルアミン１５部の混合液を滴下して加えた。その後、同温度で５時間攪拌して反応させた。次いで得られた反応混合物をロータリーエバポレーターで溶媒留去した後、メタノールを少量加えて激しく攪拌した。この混合物を、酢酸２９部及びイオン交換水３００部の混合液中に攪拌しながら加えて、結晶を析出させた。析出した結晶を濾別し、イオン交換水でよく洗浄し、６０℃で減圧乾燥して、式（Ｉ−１５１）で表されるアゾ化合物５．７部（収率９０％）を得た。
【００８８】
0005572987.tif 000038
化合物（I−１５１）の構造は質量分析によって決定した。質量分析装置はＪＭＳ−７００（日本電子株式会社製）を使用した。
質量分析：イオン化モード＝ＦＤ＋：ｍ／ｚ＝５４３
【００８９】
得られたアゾ化合物（Ｉ−１５１）０．３５ｇを乳酸エチルに溶解して体積を２５０ｃｍ３とし、そのうちの２ｃｍ３をイオン交換水で希釈して体積を１００ｃｍ３として（濃度：０．０２８ｇ／Ｌ）、分光光度計（石英セル、光路長；１ｃｍ）を用いて吸収スペクトルを測定した。得られた吸収スペクトルを図２に示す。この化合物は、λｍａｘ＝４３８ｎｍで吸光度２．６（任意単位）を示した。
【００９０】
実施例５
冷却管及び攪拌装置を備えたフラスコに、アゾ化合物（Ｉ−３５）を５部、メトキシシクロペンタン３０部及びＮ，Ｎ−ジブチルホルムアミド５．８部を投入し、攪拌下２０℃以下を維持しながら、塩化チオニル４部を滴下して加えた。滴下終了後、４０℃に昇温し、同温度で５時間維持して反応させ、その後２０℃に冷却した。冷却後の反応溶液を、攪拌下２０℃以下に維持しながら、１-アミノ−２−プロパノール３．７部及びトリエチルアミン４部の混合液を滴下して加えた。その後、同温度で５時間攪拌して反応させた。次いで得られた反応混合物をロータリーエバポレーターで溶媒留去した後、メタノールを少量加えて激しく攪拌した。この混合物を、酢酸２９部及びイオン交換水３００部の混合液中に攪拌しながら加えて、結晶を析出させた。析出した結晶を濾別し、イオン交換水でよく洗浄し、６０℃で減圧乾燥して、式（Ｉ−１８４）で表されるアゾ化合物４．２部（収率７４％）を得た。
【００９１】
0005572987.tif 000039
化合物（I−１５１）の構造は質量分析によって決定した。質量分析装置はＪＭＳ−７００（日本電子株式会社製）を使用した。
質量分析：イオン化モード＝ＦＤ＋：ｍ／ｚ＝５１７
【００９２】
得られたアゾ化合物（Ｉ−１８４）０．３５ｇを乳酸エチルに溶解して体積を２５０ｃｍ3とし、そのうちの２ｃｍ3をイオン交換水で希釈して体積を１００ｃｍ3として（濃度：０．０２８ｇ／Ｌ）、分光光度計（石英セル、光路長；１ｃｍ）を用いて吸収スペクトルを測定した。得られた吸収スペクトルを図２に示す。この化合物は、λｍａｘ＝４３２ｎｍで吸光度２．４（任意単位）を示した。
【００９３】
実施例６
冷却管及び攪拌装置を備えたフラスコに、アゾ化合物（Ｉ−３５）を３部、テトラヒドロフラン４５部及びＮ，Ｎ−ジメチルホルムアミド１．３部を投入し、攪拌下２０℃以下を維持しながら、塩化チオニル２．４部を滴下して加えた。滴下終了後、４０℃に昇温し、同温度で５時間維持して反応させ、その後２０℃に冷却した。冷却後の反応溶液を、攪拌下２０℃以下に維持しながら、エチレンジアミン５．８部及びトリエチルアミン４部の混合液を滴下して加えた。その後、同温度で５時間攪拌して反応させた。次いで得られた反応混合物をロータリーエバポレーターで溶媒留去した後、メタノールを少量加えて激しく攪拌した。この混合物を、酢酸２０部及びイオン交換水２００部の混合液中に攪拌しながら加えて、結晶を析出させた。析出した結晶を濾別し、イオン交換水でよく洗浄し、６０℃で減圧乾燥して、式（Ｉ−２０４）で表されるアゾ化合物１．５部（収率４８％）を得た。
【００９４】
0005572987.tif 000040
化合物（I−２０４）の構造は質量分析によって決定した。質量分析装置はＪＭＳ−７００（日本電子株式会社製）を使用した。
質量分析：イオン化モード＝ＦＤ＋：ｍ／ｚ＝８６０
【００９５】
得られたアゾ化合物（Ｉ−２０４）０．３５ｇを乳酸エチルに溶解して体積を２５０ｃｍ3とし、そのうちの２ｃｍ3をイオン交換水で希釈して体積を１００ｃｍ3として（濃度：０．０２８ｇ／Ｌ）、分光光度計（石英セル、光路長；１ｃｍ）を用いて吸収スペクトルを測定した。得られた吸収スペクトルを図２に示す。この化合物は、λｍａｘ＝４３０ｎｍで吸光度２．５（任意単位）を示した。
【００９６】
実施例７
式（ａ−２）で表されるｍ−トルイジン−４−スルホン酸１０．０部に水２００部を加えた後、氷冷下、３０％水酸化ナトリウム水溶液でｐＨ７〜８に調節した。以下の操作は氷冷下で行った。亜硝酸ナトリウムを１１．１部加えて３０分攪拌した。３５％塩酸３９．０部を少量ずつ加えて褐色溶液とした後、２時間攪拌した。アミド硫酸１０．１部を水１０１部に溶解した水溶液を反応溶液に加えて攪拌し、ジアゾニウム塩を含む懸濁液を得た。
【００９７】
0005572987.tif 000041
【００９８】
式（ｃ−２）で表される１，４−ビス［１−（３−シアノ−４−メチル−６−ヒドロキシピリド−２−オン）］―ブタン９．５部に水８５部とＮ−メチルピロリドン１０部を加えた後、氷冷下、３０％水酸化ナトリウム水溶液でｐＨ８〜９に調節した。
【００９９】
0005572987.tif 000042
【０１００】
以下の操作は氷冷下で行った。前記ピリドン水溶液を攪拌して無色溶液とした後、３０％水酸化ナトリウム水溶液でｐＨ８〜９に調節しながら、ジアゾニウム塩を含む懸濁液を２時間かけてポンプで滴下した。滴下終了後、さらに２時間攪拌することで黄色懸濁液を得た。濾過して得た黄色固体を減圧下６０℃で乾燥し、式（Ｉ−２１０）で表される化合物を１８．６部（収率９２．８％）得た。
【０１０１】
0005572987.tif 000043
化合物（I−２１０）の構造は質量分析によって決定した。質量分析装置はＪＭＳ−７００（日本電子株式会社製）を使用した。
質量分析：イオン化モード＝ＦＤ＋：ｍ／ｚ＝７５０
【０１０２】
得られた化合物（Ｉ−２１０）０．３５ｇをＮ，Ｎ−ジメチルホルムアミドに溶解して体積を２５０ｃｍ３とし、そのうちの２ｃｍ３を水で希釈して体積を１００ｃｍ３として（濃度：０．０２８ｇ／Ｌ）、分光光度計〔石英セル、セルの長さは１ｃｍ〕を用いて吸収スペクトルを測定した。この化合物は、λｍａｘ＝４３５ｎｍで吸光度３．１（任意単位）を示した。
【０１０３】
実施例８
冷却管及び攪拌装置を備えたフラスコに、化合物（Ｉ−２１０）を５．０部、アセトニトリル５０部及びＮ，Ｎ−ジメチルホルムアミド１．５部を投入し、攪拌下２０℃以下を維持しながら、塩化チオニル３．７部を滴下して加えた。滴下終了後、４０℃に昇温し、同温度で２時間維持して反応させ、その後２０℃に冷却した。冷却後の反応溶液を氷水１５０部に攪拌しながら注いだ後、３０分攪拌した。析出した黄色結晶を濾別し、水道水でよく洗浄し、６０℃で２時間減圧乾燥した。冷却管及び攪拌装置を備えたフラスコを別途用意し、１−アミノ−２−プロパノール２．０部とＮ−メチルピロリドン２０部とを投入し、攪拌下２０℃以下を維持しながら、先に調整した黄色結晶を１時間かけて投入した。黄色固体を投入した後、液温を室温まで昇温してから、反応溶液を３０分攪拌した。反応溶液にメタノール４０部を加えて攪拌した後、この混合溶液を、酢酸２９部及びイオン交換水３００部の混合液中に攪拌しながら加えて、結晶を析出させた。析出した結晶を濾別し、イオン交換水でよく洗浄し、６０℃で減圧乾燥して、式（Ｉ−１９８）で表される化合物３．９部（収率６９％）を得た。
【０１０４】
0005572987.tif 000044
化合物（I−２１０）の構造は質量分析によって決定した。質量分析装置はＪＭＳ−７００（日本電子株式会社製）を使用した。
質量分析：イオン化モード＝ＦＤ＋：ｍ／ｚ＝８６４
【０１０５】
得られた化合物（Ｉ−１９８）０．３５ｇを乳酸エチルに溶解して体積を２５０ｃｍ３とし、そのうちの２ｃｍ３をイオン交換水で希釈して体積を１００ｃｍ３として（濃度：０．０２８ｇ／Ｌ）、分光光度計（石英セル、光路長；１ｃｍ）を用いて吸収スペクトルを測定した。この化合物は、λｍａｘ＝４３３ｎｍで吸光度２．６（任意単位）を示した。
【０１０６】
比較例１
特許文献１に記載の方法で、下記アゾ化合物を合成した。アゾ化合物（ｄ−１）０．３５ｇを乳酸エチルに溶解して体積を２５０ｃｍ３とし、そのうちの２ｃｍ３をイオン交換水で希釈して体積を１００ｃｍ３として（濃度：０．０２８ｇ／Ｌ）、分光光度計（石英セル、光路長；１ｃｍ）を用いて吸収スペクトルを測定した。得られた吸収スペクトルを図２に示す。この化合物は、λｍａｘ＝４２５ｎｍで吸光度２．２（任意単位）を示した。
【０１０７】
0005572987.tif 000045
【０１０８】
＜溶媒への溶解度の評価＞
実施例１〜８及び比較例１のアゾ化合物の溶媒に対する溶解度を、以下のようにして求めた：
【０１０９】
５０ｍＬサンプル管中、各アゾ化合物が、それぞれ１％（Ｗ／Ｖ）及び３％（Ｗ／Ｖ）の混合割合となるようにジアセトンアルコールと混合し、密栓後４０℃で１０分間超音波振とう機で振とうさせた。ついで室温で３０分間放置後、濾過し、不溶物の有無を確認した。
１％（Ｗ／Ｖ）調整の混合溶液にて不溶物があるものを溶解度１％以下とし（×）、１％（Ｗ／Ｖ）調整の混合溶液にて不溶物がなく、３％（Ｗ／Ｖ）調整の混合溶液にて不溶物があるものを溶解度１〜３％未満とし（△）、３％（Ｗ／Ｖ）調整の混合溶液にて不溶物がないものを溶解度３％以上とした（○）。結果を、表１に示す。
【０１１０】
【表１】
0005572987.tif 000046
【０１１１】
表１の結果から、本発明の化合物は溶媒に対する高い溶解性及び高い分光濃度を合せ持つことがわかる。
【産業上の利用可能性】
【０１１２】
本発明のアゾ化合物又はその塩は、溶媒に対する高い溶解性を示す。